(57)【要約】【課題】  作業者が直接口を付ける部分が邪魔にならないようにできるゴム製手袋を提供する。【解決手段】  ゴム製手袋本体２の腕部3の甲対応部4側の表面6に設けられた内外を連通する貫通孔5に対し、前記貫通孔5の周囲の表面6に対し空気吹き込み口7を覆設して突設し、前記空気吹き込み口7には外内方向にのみ空気を通す空気逆止弁13を設ける。手袋1を着用して取り外した際に、手袋1の表面6が内側になって裏返った手袋1に対し、手袋1に設けられた貫通孔5に対し空気を吹き込み、もとに戻す時に手袋本体２の表面6に直接口に付けなくて済むので、手袋1を衛生的にもとに戻すことができる。【選択図】図１
0003112347.tif 000002
【実用新案登録請求の範囲】
【請求項１】
ゴム製手袋本体の表面に突出して内外を連通する空気吹き込み口を設けたことを特徴とするゴム製手袋。
【請求項２】
ゴム製手袋本体の甲部又は腕部の表面に突出して内外を連通する空気吹き込み口を設けたことを特徴とするゴム製手袋。
【請求項３】
前記空気吹き込み口に外内方向へのみ吹き込み可能な空気逆止弁を設けたことを特徴とする請求項１又は請求項２記載のゴム製手袋。
【請求項４】
前記空気吹き込み口をゴム類又は軟質合成樹脂により形成することを特徴とする請求項１〜３のいずれか１項に記載のゴム製手袋。
【考案の詳細な説明】
【技術分野】
【０００１】
本考案は、着用して取り外した際に、表面が内側になって裏返ったときに、手袋に空気を吹き込んでもとに戻すゴム製手袋に関するものである。
【背景技術】
【０００２】
従来、一般に水回りや汚れ物を扱う作業、或いは医療関係などでは、いわゆるゴム手袋を着用することが多い。このゴム手袋には薄手のよく伸縮する天然ゴムや合成ゴム、エラストマーなどゴム類が材料に使われており、手指によく密着して触覚を生かしつつ作業が行なえるようになっているから、作業によって手指などが濡れたり汚れたりするのを防ぐのに役立っている。さらに、作業時における密着性を全く損なうことなく、脱ぎ外しが容易にできるようゴム手袋の内面と手との隙間（ゴム手袋内部）に吐気を経口吹入する略ストロー状吐気注入口を、ゴム手袋に設けたものがある（例えば、特許文献１）。
【特許文献１】実用新案登録第３０９４５３２号公報
【考案の開示】
【考案が解決しようとする課題】
【０００３】
しかし、上記のようなゴム手袋では、手袋本体に設けられた略ストロー状吐気注入口は、手袋装着時における作業時において、前記注入口は手袋本体の表面から外部に略ストローの管が突出しているため、作業時に邪魔になり、前記注入口の先端の作業者が口を付ける部分が作業物や作業者の衣服に触れる虞があり衛生面においても問題があった。
【０００４】
解決しようとする問題点は、ゴム製手袋を装着時の作業時における作業性を損うことなく、衛生的に脱着可能なゴム製手袋を提供することである。
【課題を解決するための手段】
【０００５】
請求項１の考案は、ゴム製手袋本体の表面に突出して内外を連通する空気吹き込み口を設けたことを特徴とするゴム製手袋である。
【０００６】
請求項２の考案は、ゴム製手袋本体の甲部又は腕部の表面に突出して内外を連通する空気吹き込み口を設けたことを特徴とするゴム製手袋である。
【０００７】
請求項３の考案は、前記空気吹き込み口に外内方向へのみ吹き込み可能な空気逆止弁を設けたことを特徴とする請求項１又は請求項２記載のゴム製手袋である。
【０００８】
請求項４の考案は、前記空気吹き込み口をゴム類又は軟質合成樹脂により形成することを特徴とする請求項１〜３のいずれか１項に記載のゴム製手袋である。
【考案の効果】
【０００９】
請求項１の考案によれば、手袋本体の表面に突出して内外を連通する空気吹き込み口を設けたことにより、手袋を着用して取り外した際に、手袋の表面が内側になって裏返った手袋に対し、手袋に設けられた貫通孔に対し空気吹き込み口を介して空気を吹き込んでもとに戻すため、手袋本体の表面に直接口をつけなくて済むので衛生的に行うことができる。
【００１０】
請求項２の考案によれば、手袋本体の甲部又は腕部の表面に突出して内外を連通する空気吹き込み口を設けたことにより、手袋を装着時における作業時に空気吹き込み口が作業の妨げにならず、かつ空気吹き込み口が作業物や衣服に触れることがなく、空気吹き込み口を衛生的に保つことができる。
【００１１】
請求項３の考案によれば、前記空気吹き込み口に外内方向へのみ吹き込み可能な空気逆止弁を設けたことにより、空気吹込み口から貫通孔へ吹き込まれた空気が、再度貫通孔を通り、空気吹き込み口の開口部へと逆流することを防ぎ、容易に手袋内に空気を送り込むことができる。
【００１２】
請求項４の考案によれば、空気吹き込み口をゴム類又は軟質合成樹脂により形成することで、ゴム製手袋本体自体の柔らかさを確保することができる。
【考案を実施するための最良の形態】
【００１３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１４】
図1から図４は本考案における実施例1を示しており、手袋1の手袋本体2は此種の技術分野において周知な天然ゴムやエラストマー、合成ゴムなどゴム類のもので、腕部3の甲対応部4側に設けられた内外を連通する貫通孔5に対し、前記貫通孔5の周囲の表面6に対し空気吹き込み口7を覆設し、腕部3には手挿入口8を有している。
【００１５】
ゴム類又は軟質合成樹脂から形成される前記吹き込み口7は、貫通孔5の周囲の表面6に対し接着材等により略裁円錐形状部9が固着され、前記略裁円錐形状部9の上部には貫通孔5に対し吹き込み口7の開口部10が通設するように円筒形状を有した筒部11が一体となって表面7に突設して設けられている。
【００１６】
また、前記筒部11における開口部10の先端外周には先端が肉厚になるような段部12が設けられ、筒部11において開口部10と反対部分には外内方向へのみ吹き込み可能な円状板からなる空気逆止弁13が一体に設けられている。
【００１７】
前記吹き込み口7に対し、円状に形成され内側中心部に前記略裁頭円錐状部9の下端部14の外径より小さく形成された円状孔を設けた補強用布15が前記略裁頭円錐状部9と表面6との固着箇所に対し接着材等により覆設されている。尚、前記補強用布15は薄膜状でビニール素材やゴム類などから形成されている。
【００１８】
手挿入口8には、手挿入口8の周縁から手袋本体2に向かう方向に所定範囲で表面6に波状の加工部16が形成されている。
【００１９】
手袋本体2の指先部17には、指腹面18から爪先面19にわたり波型状のパターンからなる凸状部が表面6に対し形成されたすべり止め部20が設けられている。
【００２０】
次に前記構成についての作用を説明する。
【００２１】
作業者は手袋1の手挿入口8から手を挿入し作業に使用する。そして、作業者が装着していた前記手袋1を脱ぎ、再度手袋1を装着しようとするときには、脱いだときに裏返しになった手袋1を元に戻そうとするが、その時手袋1の指先部17は裏返しのままである場合がある。
【００２２】
その場合に作業者は、手挿入口8の加工部16をつかみ、手挿入口8から空気が漏れないように手挿入口8を塞ぎ空間21を設ける。次に空気吹き込み口7の段部12に作業者は口22をつけ、空気を手袋1内側の空間21に送り込む。空間21に送り込まれた空気は手挿入口8と反対方向に進むことにより手袋本体2内部に充填されていき、指先部17内側に空気が充填されることにより指先部17の内側の皮が外方向に押され、手袋1の指先部17の形が元通りになる。
【００２３】
尚、空気吹き込み口7の段部12に口22を付けて、開口部10へ空気を吹き込み、開口部10から送られた空気は逆止弁13を通過し、貫通孔5を通り手挿入口8を塞いだことによりできた空間21に空気が送られていく。この際、逆止弁13により開口部10から送られる空気は貫通孔5を通り空間21に送られるが、空間21から外気に流れ出ていこうとする空気に対し逆止弁13が閉じるため、逆止弁13を通過できず、空間21から流れ出ていこうとする空気の流路は逆止弁13により閉ざされることとなる。
【００２４】
空気吹き込み口7の略裁頭円錐状部9の下端部14と表面6との固着箇所に対し覆設された補強用布15により表面6と空気吹き込み口7との固着箇所から空気が漏れることを防ぐ。また、指腹面18から爪先面19にわたり形成されたすべり止め部20により、手袋1の表面6の摩擦力が高まる。
【００２５】
以上のように前記実施例では請求項1に対応して手袋本体２の表面6に突出して内外を連通する空気吹き込み口7を設けたことにより、手袋1を着用して取り外した際に、手袋1の表面6が内側になって裏返った手袋1に対し、手袋1に設けられた貫通孔5に対し空気吹き込み口7を介して空気を吹き込んでもとに戻すため、手袋本体２の表面6に直接口に付けなくて済むので、手袋1を衛生的にもとに戻すことができる。
【００２６】
また、前記実施例では請求項２に対応して手袋本体2の腕部3の甲対応部4の表面6に突出して内外を連通する空気吹き込み口7を設けたことにより、手袋1を装着した作業時に空気吹き込み口7が手の平側に無いので作業の妨げにならず、かつ空気吹き込み口7が作業物や作業者の衣服に触れることがなく、空気吹き込み口7を衛生的に保つことができる。
【００２７】
さらに、前記実施例では請求項3に対応して前記空気吹き込み口7に外内方向へのみ吹き込み可能な空気逆止弁13を設けたことにより、空気吹込み口7から貫通孔5へ吹き込まれた空気が、再度貫通孔5を通過し、空気吹き込み口7の開口部10へと逆流することを防ぎ、容易に手袋1内に空気を送り込むことができる。
【００２８】
さらに、前記実施例では請求項４に対応して空気吹き込み口７をゴム類又は軟質合成樹脂により形成することで、作業時や空気吹き込み口7に口22を付けたときなどにおいてゴム製手袋本体２自体の柔らかさを確保することができる。
【実施例２】
【００２９】
図5は実施例2を示しており、前記実施例1と同一部分には同一符号を付し、その詳細な説明を省略する。
【００３０】
手袋23は、手袋本体24の手袋甲部25に内外に連通するように貫通孔26を設け、前記貫通孔26の周囲の表面27に対し空気吹き込み口７を突設したものである。
【００３１】
次に前記構成についての作用を説明する。
【００３２】
作業者は手袋23の手挿入口28から手を挿入し作業に使用する。作業者が装着していた前記手袋23を脱ぎ、再度手袋23を装着しようとするときには、脱いだときに裏返しになった手袋23を元に戻そうとするが、その時手袋23の指先部17は裏返しのままである場合がある。
【００３３】
その場合に作業者は、手挿入口28の加工部29をつかみ手挿入口28から空気が漏れないように手挿入口28を塞ぎ空間21を設ける。次に空気吹き込み口7の段部12に作業者は口22を付け、空気を手袋23の空間21に送り込む。空間21に送り込まれた空気は手挿入口28と反対方向に進むことにより手袋本体24内部に充填されていき、指先部17内側に空気が充填されることにより指先部17の内側の皮が外方向に押され、手袋23の指先部17の形が元通りになる。
【図面の簡単な説明】
【００３４】
【図１】本考案の実施例１に係る斜視図である。
【図２】本考案の実施例１に係る平面図である。
【図３】本考案の実施例１に係る背面図である。
【図４】本考案の実施例１に係る使用状態を示す空気吹き込み口の断面拡大図である。
【図５】本考案の実施例２に係る斜視図である。
【符号の説明】
【００３５】
2  手袋本体
3  腕部
4  甲対応部
7  空気吹き込み口
13  空気逆止弁
25  手袋甲部
【図１】
0003112347.tif 000003
【図２】
0003112347.tif 000004
【図３】
0003112347.tif 000005
【図４】
0003112347.tif 000006
【図５】
0003112347.tif 000007